(57)【要約】  他の医療用ポンプとの間での順次の駆動によって薬剤の連続投与を実施するための医療用ポンプであって、設定に応じて薬剤を投与するためのポンプ駆動部と、他の医療用ポンプとの間での通信を実施するための通信部と、前記ポンプ駆動部および前記通信部の駆動を制御するための制御部と、前記制御部に接続された操作部とを備え、前記制御部は、前記薬剤の連続投与において１台目の医療用ポンプによる単独投与の期間において、前記ポンプ駆動部を前記他の医療用ポンプのポンプ駆動部と同時に駆動させる連携投与を開始するタイミングを、前記設定に基づいて判断すると共に、前記操作部からの入力にしたがって判断する。
2016152294.tif 000002
【特許請求の範囲】
【請求項１】
他の医療用ポンプとの間での順次の駆動によって薬剤の連続投与を実施するための医療用ポンプであって、
設定に応じて薬剤を投与するためのポンプ駆動部と、
前記他の医療用ポンプとの間での通信を実施するための通信部と、
前記ポンプ駆動部および前記通信部の駆動を制御するための制御部と、
前記制御部に接続された操作部とを備え、
前記制御部は、
前記薬剤の連続投与において１台目の医療用ポンプによる単独投与の期間において、前記ポンプ駆動部を前記他の医療用ポンプのポンプ駆動部と同時に駆動させる連携投与を開始するタイミングを、前記設定に基づいて判断すると共に、前記操作部からの入力にしたがって判断する
医療用ポンプ。 
【請求項２】
前記単独投与の期間において、前記操作部からの入力によって前記連携投与を開始させるための開始情報を表示する表示部を備えた
請求項１記載の医療用ポンプ。
【請求項３】
前記単独投与の期間において、前記連携投与が開始されるまでの前記設定に基づく予定時間を表示する表示部を備えた
請求項１または２記載の医療用ポンプ。 
【請求項４】
順次の駆動によって薬剤の連続投与を実施するための２台の医療用ポンプと、当該２台の医療用ポンプによる前記薬剤の連続投与を制御する制御部と、前記制御部に接続された操作部とを備えた医療用ポンプシステムであって、
前記各医療用ポンプは、
設定に応じて薬剤を投与するためのポンプ駆動部と、
外部との通信を行うための通信部とを備え、
前記制御部は、
前記２台の医療用ポンプのうちの１台目の医療用ポンプによる単独投与の期間において、前記２台の医療用ポンプのポンプ駆動部を同時に駆動させる連携投与を開始するタイミングを、前記設定に基づいて判断すると共に、前記操作部からの入力にしたがって判断する
医療用ポンプシステム。
【請求項５】
２台の医療用ポンプを設定に基づいて順次に駆動させることにより薬剤の連続投与を実施する医療用ポンプシステムの制御方法であって、
前記２台の医療用ポンプのうちの１台目の医療用ポンプによる単独投与の期間において、前記２台の医療用ポンプのポンプ駆動部を同時に駆動させる連携投与を開始するタイミングを、前記設定に基づいて判断すると共に、外部からの任意の入力にしたがって判断する
医療用ポンプシステムの制御方法。
【発明の詳細な説明】
【技術分野】
【０００１】
本発明は、医療用ポンプ、医療用ポンプシステム、および医療用ポンプシステムの制御方法に関し、特には２台の医療用ポンプを用いて薬剤の連続投与を実施するための医療用ポンプ、医療用ポンプシステム、および医療用ポンプシステムの制御方法に関する。
【背景技術】
【０００２】
医療現場においては、薬剤を患者の体内に投与するためのポンプとして、輸液ポンプやシリンジポンプ等の医療用ポンプが用いられている。一般に、これらの医療用ポンプは、１台で投与できる薬剤の量に上限がある。このため、同一種類の薬剤を連続的かつ多量に患者に投与するためには、２台の医療法ポンプを用意しておき、これらを連続して動作させる方法（以下、「Ｗ法」と記す）が実施されている。【０００３】
Ｗ法による薬剤投与を実施するための医療用ポンプにおいては、１台目のポンプ（先発ポンプ）の送液が終了する少し前から２台目のポンプ（後発ポンプ）の送液を開始させることにより、後発ポンプの送液の立ち上がりの遅れに伴う流量の変動を回避している。この際、最終的に先発ポンプが送液を終了した時点で、後発ポンプの流量が連携開始時点の流量となるように、２台のポンプの流量を段階的に変更（ステップ）させていく。ステップ数およびステップの時間間隔、各ステップにおける流量（ステップ流量）は、Ｗ法テーブルとして、予め薬剤情報と対応付けて、各医療用ポンプに格納されているものとする（以上、例えば下記特許文献１参照）。
【先行技術文献】
【特許文献】
【０００４】
【特許文献１】特開２０１３−１９２８９０号公報
【発明の概要】
【発明が解決しようとする課題】
【０００５】
ところで、上述したＷ法を適用した薬剤の連続投与においては、薬剤の流量の管理が極めて厳密な場合があり、２台のポンプを同時に駆動させる連携投与開始時のポンプの切り替え動作を監視したいという要求がある。しかしながら、上述した医療用ポンプでは、ユーザーが介入することなく、自動的に２台のポンプの切り替え動作が実施される。したがって、２台のポンプの切り替え動作が実施される時期を把握することが難しく、効率よく切り替え動作を監視することはできなかった。【０００６】
そこで本発明は、２台の医療用ポンプによる薬剤の連続投与を実施する場合に、２台のポンプを同時に駆動させる連携投与の期間においてのポンプの切り替え動作を、必要に応じて監視することが可能な医療用ポンプ、医療用ポンプシステム、および医療用ポンプシステムの制御方法を提供することを目的とする。
【課題を解決するための手段】
【０００７】
このような目的を達成するための本発明の医療用ポンプは、他の医療用ポンプとの間での順次の駆動によって薬剤の連続投与を実施するための医療用ポンプであって、設定に応じて薬剤を投与するためのポンプ駆動部と、前記他の医療用ポンプとの間での通信を実施するための通信部と、前記ポンプ駆動部および前記通信部の駆動を制御するための制御部と、前記制御部に接続された操作部とを備え、前記制御部は、前記薬剤の連続投与において１台目の医療用ポンプによる単独投与の期間において、前記ポンプ駆動部を前記他の医療用ポンプのポンプ駆動部と同時に駆動させる連携投与を開始するタイミングを、前記設定に基づいて判断すると共に、前記操作部からの入力にしたがって判断する。【０００８】
また本発明の医療用ポンプシステムは、順次の駆動によって薬剤の連続投与を実施するための２台の医療用ポンプと、当該２台の医療用ポンプによる前記薬剤の連続投与を制御する制御部と、前記制御部に接続された操作部とを備えた医療用ポンプシステムであって、前記各医療用ポンプは、設定に応じて薬剤を投与するためのポンプ駆動部と、外部との通信を行うための通信部とを備え、前記制御部は、前記２台の医療用ポンプのうちの１台目の医療用ポンプによる単独投与の期間において、前記２台の医療用ポンプのポンプ駆動部を同時に駆動させる連携投与を開始するタイミングを、前記設定に基づいて判断すると共に、前記操作部からの入力にしたがって判断する。【０００９】
さらに本発明の医療用ポンプシステムの制御方法は、２台の医療用ポンプを設定に基づいて順次に駆動させることにより薬剤の連続投与を実施する医療用ポンプシステムの制御方法であって、前記２台の医療用ポンプのうちの１台目の医療用ポンプによる単独投与の期間において、前記２台の医療用ポンプのポンプ駆動部を同時に駆動させる連携投与を開始するタイミングを、前記設定に基づいて判断すると共に、外部からの任意の入力にしたがって判断する。
【発明の効果】
【００１０】
以上説明した本発明によれば、医療用ポンプの操作の資格を持った医療従事者、管理者等の設定、入力によって、２台のポンプを同時に駆動させる連携投与を任意に開始させることができるため、２台のポンプの切り替え動作を効率よく監視することが可能になる。
【図面の簡単な説明】
【００１１】
【図１】実施形態の医療用ポンプ、および医療用ポンプシステムの構成図である。
【図２】実施形態の医療用ポンプの正面図である。
【図３】薬剤の連続投与を説明する図である。
【図４】２台の医療用ポンプを同時に駆動させる連携投与の開始情報の表示画面を示す図である。
【図５】実施形態の医療用ポンプおよび医療用ポンプシステムにおける薬剤の連続投与を説明するフローチャート（先発ポンプ側）である。
【図６】実施形態の医療用ポンプおよび医療用ポンプシステムにおける薬剤の連続投与を説明するフローチャート（後発ポンプ側）である。
【発明を実施するための形態】
【００１２】
以下、本発明を適用した医療用ポンプ、医療用ポンプシステム、および医療用ポンプシステムの制御方法に関する実施の形態を、図面に基づいて詳細に説明する。
【００１３】
図１は、実施形態の医療用ポンプ１および医療用ポンプシステム２の構成図であり、図２は、実施形態の医療用ポンプ１の正面図である。これらの図に示す医療用ポンプ１および医療用ポンプシステム２は、２台の医療用ポンプ１を用いて薬剤の連続投与を実施するためのものである。先ず、医療用ポンプ１および医療用ポンプシステム２の構成の詳細を説明するに先立ち、薬剤の連続投与の詳細を説明する。
【００１４】
≪薬剤の連続投与について≫
ここでいう薬剤の連続投与とは、２台の医療用ポンプ１のうちの一方を１台目に駆動させる先発ポンプ１ａとし、他方を２台目に駆動させる後発ポンプ１ｂとし、これら２台を順次に駆動させる薬剤投与方法である。特にここでの薬剤の連続投与とは、先発ポンプ１ａと後発ポンプ１ｂとの切り替え時に２台を同時に連携して駆動させた「連携投与」の期間を設けた、いわゆるＷ法を適用した連続投与であることとする。
【００１５】
図３は、このようなＷ法を適用した薬剤の連続投与を説明するための図であり、先発ポンプ１ａの流量１００ａと、後発ポンプ１ｂの流量１００ｂと、これらの合計流量１００ａｂとを経時的に示すグラフである。
【００１６】
これらの図に示すように、Ｗ法を適用した薬剤の連続投与において、投与が開始された直後の期間Ｔａは、先発ポンプ１ａの流量１００ａが基準流量［Ｖ0］であり、後発ポンプ１ｂの流量１００ｂが［０］であり、合計流量１００ａｂが基準流量［Ｖ0］である。この期間Ｔａは、先発ポンプ１ａのみが駆動される期間であり、ここでは先発単独投与の期間Ｔａとする。この先発単独投与の期間Ｔａ中における先発ポンプ１ａの流量１００ａは、一定である必要はないが、次の期間が開始される直前の流量１００ａの値が、基準流量［Ｖ0］となる。
【００１７】
先発単独投与の期間Ｔａの次の期間Ｔａｂは、先発ポンプ１ａの流量１００ａが段階的に減少し、これに対して後発ポンプ１ｂの流量１００ｂが段階的に増加し、合計流量１００ａｂが基準流量［Ｖ0］に保たれる期間である。この期間Ｔａｂは、先発ポンプ１ａと後発ポンプ１ｂとが同時に駆動される期間であり、ここでは連携投与の期間Ｔａｂとする。尚、ここでは、連携投与の期間Ｔａｂが開始される時間を連携開始時間Ｔｓとし、終了する時間を連携終了時間Ｔｆとする。
【００１８】
連携投与の期間Ｔａｂの次の期間Ｔｂは、先発ポンプ１ａの流量１００ａが［０］、後発ポンプ１ｂの流量１００ｂが基準流量［Ｖ0］、合計流量１００ａｂが基準流量［Ｖ0］である。この期間は、後発ポンプ１ｂのみが駆動される期間であり、ここでは後発単独投与期間Ｔｂとする。
【００１９】
以上のようなＷ法を適用した薬剤の連続投与では、先発ポンプ１ａから後発ポンプ１ｂへの駆動の切り替え時において、後発ポンプ１ｂの立ち上がりの遅れに伴う流量の変動を小さく抑えることができ、安定した流量での薬剤の連続投与が可能になる。
【００２０】
≪医療用ポンプ１および医療用ポンプシステム２≫
以上のようなＷ法を適用した薬剤の連続投与を実施するための各医療用ポンプ１は、例えば輸液ポンプまたは図示したシリンジポンプであって、ポンプ駆動部１１、操作部１３、表示部１５、記憶部１７、通信部１９、および制御部２１を備えている。これらの構成要素の詳細は、次のようである。
【００２１】
［ポンプ駆動部１１］
ポンプ駆動部１１は、設定に応じて薬剤を投与するために駆動される部分であって、この医療用ポンプ１がシリンジポンプであれば、シリンジを駆動させる部分である。また、この医療用ポンプ１が輸液ポンプであれば、輸液バッグに接続された輸液チューブ内の輸液を排出させる駆動部分である。
【００２２】
［操作部１３］
操作部１３は、例えば電源操作部、ポンプ動作を開始させるための操作部、表示部１５の表示切り替え部、さらには各種の設定を操作するための設定操作部を含む。このような操作部１３からの入力により、ポンプ駆動部１１の駆動状態、さらには表示部１５の表示内容が操作され、また表示部１５に表示された選択肢画像からの選択がなされる。尚、操作部１３は、表示部１５に設けられたタッチパネルであってもよい。
【００２３】
［表示部１５］
表示部１５は、ポンプ情報を発信する情報発信部として設けられたものであり、例えば液晶表示パネルや有機ＥＬ表示パネル等の表示パネルである。この表示部１５は、制御部２１からの指示、または操作部１３からの入力に従って各種の情報を表示する。このような情報として、例えば図４に示すような、薬剤の連続投与において連携投与を開始させるための開始情報や、連携投与が開始される連携開始時間Ｔｓまでの設定に基づいた予定時間が表示される。
【００２４】
［記憶部１７］
記憶部１７は、医療用ポンプ１で投与される各種の薬剤に関する薬剤情報を記憶している。ここでは特に、Ｗ法テーブルとして、Ｗ法を適用した薬剤の連続投与に関する設定が、薬剤情報に関連づけして記憶されていることとする。連続投与に関する設定としては、例えば図３を参照し、連携投与の期間Ｔａｂにおいて、（１）流量変化させる段階数（ここでは例えば４段階）、（２）各段階の長さ（時間）（３）各段階における先発ポンプ１ａの流量１００ａおよび後発ポンプ１ｂの流量１００ｂなどである。
【００２５】
ここで（３）各段階における先発ポンプ１ａの流量１００ａおよび後発ポンプ１ｂの流量１００ｂは、基準流量［Ｖ0］を１００％とした場合の、割合として設定されていてもよい。
【００２６】
［通信部１９］
通信部１９は、この医療用ポンプシステム２で用いられる医療用ポンプ１相互の通信を図るためのものであり、例えば赤外線による送信および受信機能を備えている。またこの通信部１９は、薬剤の連続投与を実施する２台の医療用ポンプ１が隣接して配置された場合に、これらの医療用ポンプ１間で通信を確立するための通信モジュール機能を有していてもよい。
【００２７】
［制御部２１］
制御部２１は、ポンプ駆動部１１、操作部１３、表示部１５、記憶部１７、および通信部１９に接続して設けられ、予め設定されたプログラムおよび操作部１３での操作にしたがって、ポンプ駆動部１１、表示部１５、および通信部１９の駆動を制御するための演算部である。またこの制御部２１は、Ｗ法を適用した薬剤の連続投与を実施するための部分であり、連携投与を開始するタイミングを判断し、それぞれの医療用ポンプ１のポンプ駆動部１１の駆動を制御するためのプログラムを実行する部分である。このような制御部２１は、例えばここでの図示を省略したＣＰＵ（Central Processing Unit）、ＲＡＭ（Random Access Memory）、ＲＯＭ（Read Only Memory）を備えたものである。次に、制御部２１によって処理、判断、実行される、Ｗ法を適用した薬剤の連続投与の詳細を説明する。
【００２８】
≪医療用ポンプシステムの制御方法≫
図５および図６は、上述した医療用ポンプ１の制御部２１によって実施される医療用ポンプシステムの制御方法を説明するためのフローチャートであり、Ｗ法を適用した薬剤の連続投与を実施するための制御手順である。このうち図５は先発ポンプ１ａに関するものであり、図６は後発ポンプ１ｂに関するものである。これらのフローは、先発ポンプ１ａおよび後発ポンプ１ｂの各制御部２１を構成するＣＰＵが、ＲＯＭやＲＡＭに記録されたプログラムを実行することにより実現される。以下、図５および図６のフローチャートに従い、先の図１〜図４を参照しつつ、各医療用ポンプ１の制御部２１によって実施される医療用ポンプシステムの制御手順を説明する。
【００２９】
先ず、薬剤の連続投与を実行する前段階として、連続投与に用いる２台の医療用ポンプ１間における通信の確立処理、および２台のうちの何れか一方を先発ポンプ１ａとし何れか他方を後発ポンプ１ｂとする設定処理がなされていることとする。これらの処理は、その手順が限定されることなく、先に示した先行文献に開示されている通常の処理として実施されればよい。２台の医療用ポンプ１は、同一構成のものであってよく、何れの医療用ポンプ１も、先発ポンプ１ａまたは後発ポンプ１ｂとして設定され得るものである。
【００３０】
［ステップＳ１１（先発ポンプ１ａ：図５）］
先ずステップＳ１１として、医療用ポンプシステム２の操作の資格を持った医療従事者、管理者等は、先発ポンプ１ａ側の操作部１３での操作によって、薬剤の連続投与に関する設定を入力する。ここで入力する設定は、連続投与に関しての（ａ）薬剤情報、および（ｂ）投与量であり、これらの設定は例えば操作部１３での操作によって選択入力される。
【００３１】
［ステップＳ１０１（先発ポンプ１ａ：図５）］
ステップＳ１０１において、先発ポンプ１ａ側の制御部２１は、Ｗ法を適用した薬剤の連続投与の設定処理を実施する。ここで制御部２１は、それぞれの記憶部１７に記憶されたＷ法テーブルから、ステップＳ１１で選択された（ａ）薬剤情報に対応する連続投与に関する設定を読み出す。ここで読み出される設定は、上述したとおり連携投与の期間Ｔａｂにおいて、（１）流量変化させる段階数（ここでは例えば４段階）、（２）各段階の長さ（時間）（３）各段階における先発ポンプ１ａの流量１００ａである。
【００３２】
また特に、先発ポンプ１ａの制御部２１は、読み出された（２）各段階の長さ（時間）と、ステップＳ１１で設定された（ｂ）投与量とから、図３に示した連携開始時間Ｔｓと連携終了時間Ｔｆとを算出する。これにより、先発ポンプ１ａの制御部２１は、図３に示したように流量１００ａを経時的に変化させた薬剤投与が実施されるように、薬剤の連続投与におけるポンプ駆動部１１の駆動シーケンスを設定する。
【００３３】
［ステップＳ２１（後発ポンプ１ｂ：図６）］
ステップＳ２１として、医療用ポンプシステム２の操作の資格を持った医療従事者、管理者等は、ステップＳ１１と同様に、後発ポンプ１ｂ側の操作部１３からの入力により、薬剤投与に関する設定を入力する。ここで入力する設定は、連続投与に関しての（ａ）薬剤情報、および（ｂ）投与量であり、これらの設定は例えば操作部１３での操作によって選択入力される。
【００３４】
［ステップＳ２０１（後発ポンプ１ｂ：図６）］
ステップＳ２０１において、後発ポンプ１ｂ側の制御部２１は、先発ポンプ１ａ側の制御部２１で実施するステップＳ１０１と同様に、Ｗ法を適用した薬剤の連続投与の設定処理を実施する。ただし、後発ポンプ１ｂの制御部２１は、図３に示したように流量１００ｂを経時的に変化させた薬剤投与が実施されるように、連携開始時間Ｔｓ以降においての薬剤の連続投与におけるポンプ駆動部１１の駆動シーケンスを設定する。
【００３５】
［ステップＳ２０２（後発ポンプ１ｂ：図６）］
次に、ステップＳ２０２において、後発ポンプ１ｂ側の制御部２１は、通信部１９に対して、ステップＳ２１で入力された（ａ）薬剤情報を先発ポンプ１ａ側に向かって送信させる。
【００３６】
［ステップＳ１０２（先発ポンプ１ａ：図５）］
ステップＳ１０２において、先発ポンプ１ａ側の制御部２１は、後発ポンプ１ｂから送信された薬剤情報と、ステップＳ１１で入力された薬剤情報とにもとづいて、後発ポンプ１ｂとの連携の可否を判断する連携可否判断処理を実施する。ここでは、後発ポンプ１ｂから送信された薬剤情報が、先発ポンプ１ａに対して設定された薬剤情報と一致しているか否かを判断し、一致している場合に連携可能であると判断する処理を実施する。そして、この判断処理において連携が可能であると判断された場合に、制御部２１は、表示部１５に対して連携可能の旨を表示すると共に、通信部１９に対して連携可能の旨を後発ポンプ１ｂ側に送信させる。
【００３７】
尚、この連携可否判断処理において、連携可能ではないと判断された場合には、薬剤の連続投与を中止する。
【００３８】
［ステップＳ２０３（後発ポンプ１ｂ：図６）］
ステップＳ２０３において、後発ポンプ１ｂ側の制御部２１は、先発ポンプ１ａ側からの連携可能の送信を通信部１９で受信したことにより、薬剤の連携投与の処理を開始させる。
【００３９】
［ステップＳ２０４（後発ポンプ１ｂ：図６）］
これによりステップＳ２０４において、後発ポンプ１ｂ側の制御部２１は、先発ポンプ１ａ側から送信される連携開始の受信を待ち、受信あり（Ｙｅｓ）と判断されるまで、連携開始の受信有りか否かの判断を繰り返す。
【００４０】
［ステップＳ１２（先発ポンプ１ａ：図５）］
一方、ステップＳ１２として、医療用ポンプシステム２の操作の資格を持った医療従事者、管理者等は、先発ポンプ１ａ側の表示部１５においての連携可能の表示を確認した後、操作部１３の操作により、投与開始の入力を実施する。ここでは、例えば操作部１３における投与開始ボタンを長押しすることにより、薬剤の連続投与を開始させる。
【００４１】
［ステップＳ１０３（先発ポンプ１ａ：図５）］
次いで、ステップＳ１０３において、先発ポンプ１ａ側の制御部２１は、投与開始の入力がなされたことを受けて、ポンプ駆動部１１を、ステップＳ１０１で設定した駆動シーケンスに従って駆動させる。これにより、図３に示した先発単独投与の期間Ｔａの単独投与を開始する。
【００４２】
［ステップＳ１０４（先発ポンプ１ａ：図５）］
その後、ステップＳ１０４において、先発ポンプ１ａ側の制御部２１は、連携投与を開始する連携開始時間Ｔｓとなったか否かの判断を実施する。ここでは、ステップＳ１０３での単独投与が開始された時点から、ステップＳ１０１の設定処理および算出によって設定された連携開始時間Ｔｓまで達したか否かを判断し、連携開始時間Ｔｓに達した（Ｙｅｓ）と判断された場合には、ステップＳ１０５に進む。一方、連携開始時間Ｔｓに達していない（Ｎｏ）と判断された場合には、ステップＳ１０６に進む。
【００４３】
［ステップＳ１０５（先発ポンプ１ａ：図５）］
ステップＳ１０５において、先発ポンプ１ａ側の制御部２１は、通信部１９に対して連携投与を開始する旨を後発ポンプ１ｂ側に送信させる。
【００４４】
［ステップＳ１０６（先発ポンプ１ａ：図５）］
これに対してステップＳ１０６において、先発ポンプ１ａ側の制御部２１は、表示部１５に対して、図４に示したように、連携開始時間Ｔｓまでの予定時間、および連携投与を開始させるための開始情報を表示させる。この開始情報は、図示したように連携投与を今から開始するか否か（「はい」「いいえ」）の開始選択ボタンであることとする。
【００４５】
［ステップＳ１３（先発ポンプ１ａ：図５）］
その後ステップＳ１３として、医療用ポンプシステム２の操作の資格を持った医療従事者、管理者等は、先発ポンプ１ａ側の表示部１５においての表示を確認した上で、必要に応じて操作部１３の操作により、連携投与開始の入力を実施する。ここでは、連携投与開始時間Ｔｓまでの予定時間はまだ（例えば１０分）あるが、それを待つことなく先発ポンプ１ａと後発ポンプ１ｂとを同時に駆動させた連携投与を開始させたい場合、操作部１３の操作により、表示部１５に表示された選択情報のうち「はい」を選択して入力する。
【００４６】
［ステップＳ１０７（先発ポンプ１ａ：図５）］
ステップＳ１０７において、先発ポンプ１ａ側の制御部２１は、連携投与開始の入力がなされたか否かの判断を実施する。そして、連携投与開始の入力がなされた（Ｙｅｓ）と判断した場合、ステップＳ１０５に進み、通信部１９に対して連携投与を開始する旨を後発ポンプ１ｂ側に送信させる。一方、連携投与開始の入力がなされていない（Ｎｏ）と判断された場合には、先のステップＳ１０４に戻り、以降はステップＳ１０４以降を繰り返す。
【００４７】
［ステップＳ１０８（先発ポンプ１ａ：図５）］
ステップＳ１０８において、先発ポンプ１ａの制御部２１は、先のステップＳ１０５で連携投与を開始する旨を後発ポンプ１ｂ側に送信したことを受け、図３に示した連携開始時間Ｔｓ以降の先発ポンプ１ａと後発ポンプ１ｂとを同時に駆動させる連携投与を開始する。そして、図３に示す連携期間Ｔａｂに設定された流量１００ａでの薬剤投与が実施されるように、ポンプ駆動部１１の駆動を設定されたシーケンスにしたがって切り替えて薬剤の連携投与を実施し、連携終了時間Ｔｆに終了させる。
【００４８】
［ステップＳ１０９（先発ポンプ１ａ：図５）］
ステップＳ１０９において、先発ポンプ１ａの制御部２１は、図３に示す連携期間Ｔａｂが終了したところで、表示部１５に対して薬剤投与の終了の警告を表示させる。また、先発ポンプ１ａがアラーム音の発生部を有する場合には、アラーム音を発報させてもよい。
【００４９】
［ステップＳ１４（先発ポンプ１ａ：図５）］
ステップＳ１４として、医療用ポンプシステム２の操作の資格を持った医療従事者、管理者等は、先発ポンプ１ａ側の表示部１５において、薬剤投与の終了の表示を確認した上で、操作部１３の操作により、ポンプ停止の入力を実施する。これにより、先発ポンプ１ａ側においての薬剤の連続投与を終了させる。
【００５０】
［ステップＳ２０５（後発ポンプ１ｂ：図６）］
一方、ステップＳ２０５において、後発ポンプ１ｂ側の制御部２１は、先のステップＳ２０４において先発ポンプ１ａからの連携投与開始の信号を受信した（Ｙｅｓ）と判断したことを受け、図３に示した連携開始時間Ｔｓ以降の先発ポンプ１ａと後発ポンプ１ｂとを同時に駆動させる連携投与を開始する。そして、図３に示す連携期間Ｔａｂに設定された流量１００ｂでの薬剤投与が実施されるように、ポンプ駆動部１１の駆動を設定されたシーケンスにしたがって切り替えて薬剤の連携投与を実施し、連携終了時間Ｔｆに終了させる。
【００５１】
尚、この連携投与の開始は、図５に示した先発ポンプ１ａにおけるステップＳ１０８の連携投与の開始と同期させて実施する。
【００５２】
［ステップＳ２０６（後発ポンプ１ｂ：図６）］
次いでステップＳ２０６において、後発ポンプ１ｂ側の制御部２１は、図３に示す後発単独投与の期間Ｔｂに設定された流量１００ｂでの薬剤投与が実施されるように、ポンプ駆動部１１を駆動した薬剤の単独投与を開始し、設定に従って終了させる。
【００５３】
［ステップＳ２０７（後発ポンプ１ｂ：図６）］
ステップＳ２０７において、後発ポンプ１ｂの制御部２１は、図３に示す後発単独投与の期間Ｔｂが終了したところで、表示部１５に対して薬剤投与の終了の警告を表示させる。また、後発ポンプ１ｂがアラーム音の発生部を有する場合には、アラーム音を発報させてもよい。
【００５４】
［ステップＳ２２（後発ポンプ１ｂ：図６）］
その後ステップＳ２２として、医療用ポンプシステム２の操作の資格を持った医療従事者、管理者等は、後発ポンプ１ｂ側の表示部１５において、薬剤投与の終了の表示を確認した上で、操作部１３の操作により、ポンプ停止の入力を実施する。これにより、後発ポンプ１ｂ側においての薬剤の連続投与を終了させる。
【００５５】
＜実施形態の効果＞
以上説明した実施形態では、先発ポンプ１ａの制御部２１での制御により、Ｗ法を適用した薬剤の連続投与を実施するにあたり、２台の医療用ポンプ１を同時に駆動させる連携投与を、操作部１３からの入力によっても任意に開始させることができる。したがって、予め設定された連携開始時間Ｔｓを待たずに、その場で任意に連携投与を開始させることにより、連携投与の期間Ｔａｂにおいてのポンプの切り替え動作を効率的に監視することが可能になる。
【００５６】
また、連携開始時間Ｔｓまでの予定時間を表示部１５に対して表示させる構成であるため、医療用ポンプシステム２の管理者が、連携開始時間Ｔｓを待たずに連携投与を開始させるか否かを判断し易くなる。このため、連携開始時間Ｔｓまでの予定時間が短ければ、任意に連続投与を開始することなくその場で連携開始時間Ｔｓに達するまで待機し、設定通りの連携開始時間Ｔｓに連携投与を開始させてポンプの切り替え動作を監視する判断も可能である。これにより、ストレスなく連携投与の期間Ｔａｂにおいてポンプの切り替え動作を監視し、かつ先発ポンプ１ａの薬剤を無駄なく投与することが可能になる。
【００５７】
尚、本発明は上述しかつ図面に示した実施形態および変形例に限定されるものではなく、請求の範囲に記載した発明の要旨を逸脱しない範囲内で種々の変形実施が可能である。例えば、以上説明した実施形態においては、先発ポンプ１ａからの入力によって、連携投与が開始される構成としたが、後発ポンプ１ｂ側からの入力によって連携投与を開始させる構成であってもよい。
【００５８】
またさらに、駆動中の後発ポンプ１ｂを先発ポンプ１ａに置き換え、追加の医療用ポンプ１を後発ポンプ１ｂとした連続投与を実施してもよい。このような連続投与の処理は、図６のステップＳ２０６における後発ポンプ１ｂの単独投与中（図３に示した後発単独期間Ｔｂ中）に、医療用ポンプシステム２の管理者が、後発ポンプ１ｂの操作部１３および追加の医療用ポンプ１の操作部１３を操作することによって開始される。
【００５９】
この場合、各制御部２１は、先ず後発ポンプ１ｂと追加の医療用ポンプ１との間の通信の確立を実施し、さらに後発ポンプ１ｂを先発ポンプ１ａに置き換え、追加の医療用ポンプ１を後発ポンプ１ｂとする設定処理を実施する。その後は、新たに設定された先発ポンプ１ａと後発ポンプ１ｂとに対して、図５および図６を用いて説明したと同様の手順での処理を実施する。これにより、３台目以降の医療用ポンプ１を用いて、さらにＷ法を適用した薬剤の連続投与を続けることが可能になる。
【００６０】
また上述した実施形態においては、２台の医療用ポンプ１が相互に通信可能な構成として医療用ポンプシステム２を説明した。しかしながら、本発明の医療用ポンプシステムは、２台の医療用ポンプ１が、ホストコンピュータのようなシステム制御部を介して相互に送受信可能なものであったり、複数の医療用ポンプ１が装着されるポンプ用架台の通信部を介して送受信可能なものであってもよい。このような場合、上述した医療用ポンプシステムの制御方法は、各医療用ポンプ１の制御部２１において実施される構成に限定されず、システム制御部や、ポンプ用架台の通信部に接続させた制御部からの指示によって実施される構成であってもよい。
【符号の説明】
【００６１】
１…医療用ポンプ、１ａ…先発ポンプ（1台目の医療用ポンプ）、１ｂ…後発ポンプ（2台目の医療用ポンプ）、２…医療用ポンプシステム、１１…ポンプ駆動部、１３…操作部、１５…表示部、１９…通信部、２１…制御部、Ｔａ…先発単独投与の期間、Ｔａｂ…連携投与の期間、Ｔｂ…後発単独投与の期間、Ｔｓ…連携開始時間、Ｔｆ…連携終了時間
【図１】
2016152294.tif 000003
【図２】
2016152294.tif 000004
【図３】
2016152294.tif 000005
【図４】
2016152294.tif 000006
【図５】
2016152294.tif 000007
【図６】
2016152294.tif 000008
【国際調査報告】
2016152294.tif 000009
2016152294.tif 000010